(57)【特許請求の範囲】
【請求項１】
書類等を載置するためのボード本体と、ボード本体の上縁中央寄り部分に設けられ、バネ機構によって書類等を挟止自在なクリップ部とを有するクリップボードにおいて、ボード本体が、無機エレクトロルミネッセンスが組み込まれた多層構造となされ、その最内部には発光シート層と誘電シート層が隣接して設けられ、発光シート層の上側に透明導電膜からなる陽極シート層が配置され、陽極シート層の上側には透明な上側ボード部材が設けられており、誘電シート層の下側（背面）に合金製の陰極シート層が配置され、陰極シート層の下側には透明な下側ボード部材が設けられている、発光機能を備えたクリップボード。
【請求項２】
外形が横長方形のほぼＡ３サイズであって、中央部分がＡ４エリアとなされ、Ａ４エリアの両側部分がＡ３専用エリアとなされ、無機エレクトロルミネッセンスがＡ４エリアとＡ３専用エリアとに分けて構成され、Ａ４エリアだけの発光とＡ４エリアおよびＡ３専用エリアの両方の発光が選択的に行われるようになされている、請求項１記載の発光機能を備えたクリップボード。
【発明の詳細な説明】
【技術分野】
【０００１】
本発明は、メモ用紙、伝票、各種書類等を挟んで使用するためのクリップボードに関する。
【背景技術】
【０００２】
一般に、クリップボードは、メモ用紙や伝票、各種書類等を載せるボード本体と、ボード本体に載せられた前記書類等を留めておくバネ機能を備えたクリップ部を有している。
【０００３】
そして、前述したクリップボードの機能を高めるものとして、例えば合成樹脂製のクリップ体と、合成樹脂製のボード体と、合成樹脂製の板バネとから構成され、前記クリップ体をヒンジ部を介してボード体と一体として樹脂成形し、前記クリップ体をボード体側に折り返して、このクリップ体の前端部がボード体に接触し、押圧力を付した状態になるように、前記クリップ体とボード体とを板バネで挟み込んだクリップボードが知られている。
【０００４】
また、書類等の支持面をなすボード本体に装着されるベース部材と、このベース部材に回転可能に取り付けられた押さえ部材と、当該押さえ部材に押さえ力を付与する主ばね部材と、この主ばね部材の押さえ力を必要に応じてバックアップする補助ばね部材と、当該補助ばね部材で押さえ力をバックアップするように作用させるための補助ばね操作部材と、前記バックアップされた状態を保つように補助ばね操作部材の位置を保持するストッパとを備えて構成されたクリップボードも知られている。
【先行技術文献】
【特許文献】
【０００５】
【特許文献１】特開２０１５−３４９２号公報
【特許文献２】特開２００７−９０８１９号公報
【発明の概要】
【発明が解決しようとする課題】
【０００６】
前述した従来のクリップボードのうち、前者は、クリップ体とボード体を合成樹脂で一体成形したことにより、ボード体にクリップ体を取り付けて組み立てるのに手間が省略されるため、安価に製造することができ、またクリップ体、ボード体などの構成部材をいずれも合成樹脂から成るものとしたので、使い古したりして破棄する場合に、これらを分解することなく、そのままプラスチックごみとして廃棄できるものである。
【０００７】
また、後者のクリップボードの場合、主弾性部材の押さえ力を必要に応じてバックアップする補助弾性部材を設けた構成により、補助弾性部材を作用させることで主弾性部材の押さえ力を増強させ、より強い押さえ力を付与することが可能となり、書類等の不用意な脱落を効果的に防止することができるものである。
【０００８】
しかしながら、前述したいずれのクリップボードについても、夜間や光が入らない暗い場所では、クリップボードに挟んだ伝票や書類等に記載された文字や数字等がはっきり見えず、これを見るために、一旦、光や照明等によって明るくなっている場所まで移動したり、或いは懐中電灯等を携行して必要な場合に、片手で前記懐中電灯を持ってクリップボード上の書類等を照らさなければならないという不都合があった。
【０００９】
また、前記懐中電灯等の照明器具は書類の一部だけを照らすものであって、書類全体を均等に照らさないため、使用者は自分が見たい書類の位置に懐中電灯のもっとも明るい光の部分を合わせる必要があった。
【００１０】
本発明の目的は、載置された書類等の全面を常に明るく照らすことができる発光機能を備えたクリップボードを提供することにある。
【課題を解決するための手段】
【００１１】
請求項１記載の本発明は、書類等を載置するためのボード本体と、ボード本体の上縁中央寄り部分に設けられ、バネ機構によって書類等を挟止自在なクリップ部とを有するクリップボードにおいて、ボード本体が、無機エレクトロルミネッセンス（以下、単に「無機ＥＬ」と略する）が組み込まれた多層構造となされ、その最内部には発光シート層と誘電シート層が隣接して設けられ、発光シート層の上側に透明導電膜からなる陽極シート層が配置され、陽極シート層の上側には透明な上側ボード部材が設けられており、誘電シート層の下側（背面）に合金製の陰極シート層が配置され、陰極シート層の下側には透明な下側ボード部材が設けられている発光機能を備えたクリップボードである。
【００１２】
請求項２記載の本発明は、前記請求項１記載のクリップボードについて、外形が横長方形のほぼＡ３サイズであって、中央部分がＡ４エリアとなされ、Ａ４エリアの両側部分がＡ３専用エリアとなされ、無機ＥＬがＡ４エリアとＡ３専用エリアとに分けて構成され、Ａ４エリアだけの発光とＡ４エリアおよびＡ３専用エリアの両方の発光が選択的に行われるようになされていることを特徴とする。
【発明の効果】
【００１３】
本発明のクリップボードは、書類等を載置するためのボード本体と、ボード本体の上縁中央部分に設けられ、バネ機構によって書類等を挟止自在なクリップ部とを有するクリップボードであって、ボード本体に無機ＥＬが組み込まれているものであるため、前記ボート本体が発光してボード本体上に挟止された書類等における文字や数字等を前記無機ＥＬによって視覚的に浮かび上がらせることができる。そのため、夜間や光が入らない暗所においても書類等を明確に読み取ることが可能となる。
【００１４】
また、本発明のクリップボードは、無機ＥＬによってボード本体自体が発光するため、従来のように、別途、懐中電灯等の照明器具を手に持つ必要もなくなり、片手で本発明のクリップボードを持ち、もう片方の手で必要な作業等が行えるため、作業性の向上が図られる。しかも本発明によれば、無機ＥＬによってボード本体全体が発光し得るため、従来の懐中電灯のように、書類等において読み取る箇所の視線に沿って照らす場所を移動させる必要もない。
【００１５】
この他、外形がほぼＡ３サイズであって、中央部分がＡ４エリアとなされ、Ａ４エリアの両側部分がＡ３専用エリアとなされ、無機ＥＬがＡ４エリアとＡ３専用エリアとに分けて構成され、Ａ４エリアだけの発光とＡ４エリアおよびＡ３専用エリアの両方の発光が選択的に行われるようになされている本願の請求項３記載のクリップボードによれば、ボード本体にＡ４サイズの書類を挟止した場合にはＡ４エリアだけを発光させることで無駄な電力の消費が解消されると共に書類が載置されていないＡ３専用エリアの発光による目のチラツキを防止することができるという利点を有する。
【００１６】
なお、本発明のクリップボードにおいては、発光物質を媒体として均一分散させた層を形成してなる分散型無機ＥＬでも良いし、スパッタ、蒸着等により層を形成する薄膜型無機ＥＬを用いても良い。
【図面の簡単な説明】
【００１７】
【図１】本願の実施形態１に係るクリップボードの正面図である。
【図２】同じく実施形態１のクリップボードにおけるボード本体の構成を示す分解斜視図である。
【図３】同実施形態のクリップボードの横断面図である。
【図４】実施形態２に係るクリップボードの正面図である。
【図５】同じく実施形態２のクリップボードにおけるボード本体の構成を示す分解斜視図である。
【発明を実施するための形態】
【００１８】
次に、本発明の実施形態を図面にしたがって説明するが、本発明はかかる実施形態に限定されるものではない。
【００１９】
（実施形態１）
【００２０】
図１〜図３に示すように、本発明のクリップボード１は、書類Ｐ等を載置するためのボード本体２と、ボード本体２の上縁中央寄り部分に設けられ、バネ機構（図示せず）によって書類Ｐ等を挟止自在なクリップ部３３を備えている。
【００２１】
ボード本体２は、本実施形態ではＡ４サイズの書類Ｐ等を挟止するように、Ａ４サイズよりも若干大きい縦長方形とされている。
【００２２】
そして、ボード本体２は、後述するような無機ＥＬを組み込んだ構造とすることで表面に挟止された書類Ｐ等の全面を下方から照らし、書類Ｐ等に記載された文字や数字等を視覚的に浮かび上がらせる機能を有する。
【００２３】
具体的には、本実施形態では、ボード本体２は、多層構造となされ、最内部に発光シート層３と誘電シート層４が隣接して設けられ、発光シート層３の上側に透明導電膜からなる陽極シート層５が配置され、陽極シート層５の上側には透明なアクリル板からなる上側ボード部材６が設けられており、誘電シート層４の下側（背面）にアルミニウム、マグネシウムおよび銀等の合金からなる陰極シート層７が配置され、陰極シート層７の下側には透明なアクリル板からなる下側ボード部材８が設けられている。
【００２４】
前記陽極シート層５と陰極シート層７の各角部５ａ・７ａにはリード線９・１０の一端がそれぞれ接続され、また該リード線９・１０の各他端はインバータ１１にそれぞれ接続されている。そして、インバータ１１はリード線１２を介して電池やバッテリーといった電源部１３に接続されている。なお、前記電源部１３としては、他に、自動車におけるＤＣ１２Ｖのシガーソケットやソーラーバッテリーを用いることもある。
【００２５】
そして、本実施形態のクリップボードによれば、従来の一般的なクリップボードと同様にクリップ部３３に書類Ｐ等を挟むだけで発光シート層３からの光Ｌによって、前記書類Ｐ等に記載された文字や数字等が視覚的に浮かび上がるため、夜間や暗所でも容易且つ確実に前記書類Ｐ等の内容を視認することができる。
【００２６】
（実施形態２）  
【００２７】
図４に示すように、本実施形態に係るクリップボード２１は、前記実施形態１に係るクリップボード１と同様、書類等を載置するボード本体２２と、ボード本体２２の上縁中央寄り部分に設けられたクリップ部４３を備え、またボード本体２２の構造は、前記実施形態１におけるボード本体２と同様の多層構造とされている。
【００２８】
本実施形態のクリップボード２１におけるボード本体２２は、その全体がＡ３サイズより若干大きい横長方形となされており、中央のＡ４エリア３０ａと該Ａ４エリア３０ａの両側のＡ３専用エリア３０ｂに区画されている。
【００２９】
そして、図５に示すように、本実施形態では、ボード本体２２の最上部と最下部の透明なアクリル板からなる上側ボード部材２６と下側ボード部材２８はいずれも全体が一体のものであるが、これらの内方の各部材については、中央のＡ４エリア３０ａと該Ａ４エリア３０ａの左右両側のＡ３専用エリア３０ｂとに分けられて別個に発光するようになされている。
【００３０】
すなわち、前記Ａ４エリア３０ａについては、最内部にＡ４サイズにほぼ相当する外形の発光シート層２３ａと誘電シート層２４ａが隣接して設けられ、発光シート層２３ａの上側に同サイズの透明導電膜からなる陽極シート層２５ａが配置され、前記誘電シート層２４ａの下側に同サイズの陰極シート層２７ａが配置されている。
【００３１】
一方、前記Ａ３専用エリア３０ｂについては、最内部に左右一対の発光シート層２３ｂと誘電シート層２４ｂがそれぞれ隣接して設けられ、発光シート層２３ｂの上側に同サイズの透明導電膜からなる陽極シート層２５ｂがそれぞれ配置され、前記誘電シート層２４ｂの下側には同サイズの陰極シート層２７ｂが配置されている。
【００３２】
また、前述したＡ４エリア３０ａとＡ３専用エリア３０ｂについて、それぞれ前記実施形態１と同様の配線および電源供給がそれぞれ行われるようにインバータ３１Ａ・３１Ｂと電源３３Ａ・３３Ｂがリード線３２を介して配設され、後述するように、Ａ４エリア３０ａだけが発光する場合と該Ａ４エリア３０ａと共にＡ３専用エリア３０ｂも発光する場合とを選択し得るようになされている。
【００３３】
すなわち、本実施形態に係るクリップボード２１によれば、Ａ３サイズのようなＡ４サイズより大きい書類等を挟止した場合にはＡ４エリア３０ａとＡ３専用エリア３０ｂの両方を発光させることにより、Ａ３サイズの書類全体が無機ＥＬによって裏側から照らされ、その結果、Ａ３サイズに記載された文字や数字等が浮かび上がるため、使用者は前記書類の文字や数字等を明確に認識することができる。
【００３４】
一方、本実施形態のクリップボード２１上にＡ４サイズの書類を挟止する場合には、Ａ３専用エリア３０ｂを発光させずにＡ４エリア３０ａだけを発光させることでＡ３専用エリア３０ｂの発光による余分な光の放散をなくすことができる。
【００３５】
なお、前記各実施形態のクリップボード１・２１において、それらの発光のＯＮ／ＯＦＦはスイッチ操作で行われる。
【産業上の利用可能性】
【００３６】
本発明によれば、挟止した書類等を無機ＥＬによって下方から照らすことで書類等に記載されている文字や数字等を視覚的に、鮮明な状態で浮かび上がらせることができるため、暗所での使用に非常に便利であることから、この種クリップボードの分野において幅広い利用が期待できる。
【符号の説明】
【００３７】
１・２１  クリップボード
２・２２  ボード本体
３・２３  発光シート層
４・２４  誘電シート層
５・２５  陽極シート層
６・２６  上側ボード部材
７・２７  陰極シート層
８・２８  下側ボード部材
３０ａ  Ａ４エリア
３０ｂ  Ａ３専用エリア
【要約】
【課題】  懐中電灯等の照明器具を用いることなく、載置された書類等の全面を常に明るく照らすことができるようにする。
【解決手段】  書類Ｐ等を載置するためのボード本体２と、ボード本体２の上縁中央寄り部分に設けられ、バネ機構によって書類等を挟止自在なクリップ部３とを有するクリップボード１であって、ボード本体２に無機エレクトロルミネッセンスが組み込まれており、書類Ｐ等に記載された文字や数字等を視覚的に浮かび上がらせるようになされている。
【選択図】  図１【図１】
0005865543.tif 000002
【図２】
0005865543.tif 000003
【図３】
0005865543.tif 000004
【図４】
0005865543.tif 000005
【図５】
0005865543.tif 000006